(57)【要約】【課題】入力デバイスと出力デバイスとを分離し、携帯電子機器のユーザが所望するコンテンツをより大きなディスプレイを有する任意の出力デバイスに表示することの可能なコンテンツサーバ及び入出力デバイス分離方法を提供すること。【解決手段】コンテンツサーバ１０は、通信可能に接続された携帯電話２０からの入力に応じて、出力デバイス３０に表示するコンテンツの出力データを選択するとともに、この出力データを識別する認証コードを携帯電話２０に返信する。出力デバイス３０が、携帯電話２０から取得した認証コードをコンテンツサーバ１０に送信すると、コンテンツサーバ１０は、認証コードに対応する出力データを出力デバイス３０に送信する。【選択図】図１
2010239518.tif 000002
【特許請求の範囲】
【請求項１】
携帯電子機器及びコンテンツを表示する表示部を備えた出力デバイスと通信回線を介して接続され、
前記携帯電子機器から受信したコンテンツを指定する入力に対応した出力データを前記出力デバイスに出力するため、前記携帯電子機器又は前記出力デバイスから受信した所定の識別情報に基づいて認証を行う認証手段と、
前記認証手段による認証が完了した後に、前記入力に基づいた前記出力データを前記出力デバイスに送信する出力データ送信手段と、
を備えることを特徴とするコンテンツサーバ。
【請求項２】
前記認証手段は、
前記携帯電子機器からの入力に応じて、前記出力デバイスに表示するコンテンツの出力データを選択する出力データ選択手段と、
選択した前記出力データを識別する認証コードを発行し記憶する認証コード発行手段と、
前記認証コードを入力のあった前記携帯電子機器に送信する認証コード送信手段と、
出力デバイスから認証コードを受信する認証コード受信手段と、
受信した前記認証コードに対応する出力データを取得する出力データ取得手段と、
から構成され、
前記出力データ送信手段は、認証コードの送信元である前記出力デバイスに前記出力データ取得手段が取得した出力データを送信することを特徴とする請求項１に記載のコンテンツサーバ。
【請求項３】
前記認証手段は、
前記出力デバイスを識別するデバイスＩＤを発行し記憶するデバイスＩＤ発行手段と、
前記デバイスＩＤを対応する出力デバイスに送信するデバイスＩＤ送信手段と、
前記携帯電子機器から前記入力と併せて前記デバイスＩＤを受信する入力データ受信手段と、
受信した前記入力に応じたコンテンツの出力データを選択する出力データ選択手段と、
受信した前記デバイスＩＤに対応する出力デバイスを特定する出力デバイス特定手段と、
から構成され、
前記出力データ送信手段は、前記出力デバイス特定手段により特定された出力デバイスに、前記出力データ選択手段が選択した出力データを送信することを特徴とする請求項１に記載のコンテンツサーバ。
【請求項４】
携帯電子機器、コンテンツを表示する表示部を備えた出力デバイス、及びコンテンツを記憶するコンテンツサーバが通信回線を介して接続されて構成される入出力デバイス分離方法であって、
前記携帯電子機器から受信したコンテンツを指定するの入力に対応した出力データを前記出力デバイスに出力するため、前記携帯電子機器又は前記出力デバイスから受信した所定の識別情報に基づいて前記コンテンツサーバが認証を行う認証ステップと、
前記認証ステップによる認証が完了した後に、前記入力に基づいた前記出力データを前記コンテンツサーバから前記出力デバイスに送信する出力データ送信ステップと、
受信した前記出力データに応じたコンテンツを前記出力デバイスの前記表示部に表示する出力ステップと
を含むことを特徴とするを特徴とする入出力デバイス分離方法。
【請求項５】
前記認証ステップは、
前記コンテンツサーバが、前記携帯電子機器からの入力に応じて、前記出力デバイスに表示するコンテンツの出力データを選択する出力データ選択ステップと、
前記コンテンツサーバが、選択した前記出力データを識別する認証コードを発行し記憶する認証コード発行ステップと、
前記コンテンツサーバが、前記認証コードを入力のあった前記携帯電子機器に送信する認証コード送信ステップと、
前記出力デバイスが、前記認証コードを受信した前記携帯電子機器から、前記認証コードを取得する認証コード取得ステップと、
前記出力デバイスが、取得した前記認証コードを前記コンテンツサーバに送信する認証コード送信ステップと、
前記コンテンツサーバが、前記出力デバイスから受信した前記認証コードに対応する出力データを取得する出力データ取得ステップと、
を含み、
前記出力データ送信ステップは、前記認証コードの送信元である前記出力デバイスに前記出力データ取得ステップにより取得された出力データを送信することを特徴とする請求項４に記載の入出力デバイス分離方法。
【請求項６】
前記認証コード取得ステップは、
前記通信回線を介さず、前記携帯電子機器と直接通信を行うことにより前記認証コードを取得することを特徴とする請求項５に記載の入出力デバイス分離方法。
【請求項７】
前記認証コード取得ステップは、
前記携帯電子機器のユーザからの入力により前記認証コードを取得することを特徴とする請求項５に記載の入出力デバイス分離方法。
【請求項８】
前記認証ステップは、
前記コンテンツサーバが、前記出力デバイスを識別するデバイスＩＤを発行し記憶するデバイスＩＤ発行ステップと、
前記コンテンツサーバが、前記デバイスＩＤを対応する出力デバイスに送信するデバイスＩＤ送信ステップと、
前記出力デバイスが、受信した前記デバイスＩＤを前記携帯電子機器に提供するデバイスＩＤ提供ステップと、
前記コンテンツサーバが、前記携帯電子機器から前記入力と併せて前記デバイスＩＤを受信する入力データ受信ステップと、
前記コンテンツサーバが、受信した前記入力に応じたコンテンツの出力データを選択する出力データ選択ステップと、
受信した前記デバイスＩＤに対応する出力デバイスを特定する出力デバイス特定ステップと、
を含み、
前記出力データ送信ステップは、前記出力デバイス特定ステップにより特定された出力デバイスに、前記出力データ選択ステップが選択した出力データを送信することを特徴とする請求項４に記載の入出力デバイス分離方法。
【請求項９】
前記デバイスＩＤ提供ステップは、
前記通信回線を介さず、前記携帯電子機器と直接通信を行うことにより、前記デバイスＩＤを前記携帯電子機器に提供することを特徴とする請求項８に記載の入出力デバイス分離方法。
【請求項１０】
前記デバイスＩＤ提供ステップは、
光学的に読み取り可能な識別情報を前記表示部に表示することにより、前記デバイスＩＤを前記携帯電子機器に提供することを特徴とする請求項８に記載の入出力デバイス分離方法。
【発明の詳細な説明】
【技術分野】
【０００１】
本発明は、コンテンツサーバ、入出力分離方法に関する。特に、入力デバイスと出力デバイスとを分離して管理するコンテンツサーバ、及び入出力分離方法に関する。
【背景技術】
【０００２】
携帯電話やＰＤＡといった携帯電子機器は、ひとり１台は所有しているといっていいほどに普及している。また、これらの携帯電子機器は、その機能についても年々多様化し、発展を遂げてきている。例えば、最近の携帯電話では、基本的な機能である通話機能のほかに、赤外線通信機能、データ送受信機能（代表的な例としては、ＷＥＢページ閲覧・入力機能、メール機能、音楽ダウンロード機能等がある）、撮像機能、テレビジョン信号受信機能、ゲーム機能等の様々な機能が付加されている。
【０００３】
例えば、特許文献１では、ユーザのプッシュボタン操作に応じて、リモコン送信部から赤外線信号を送信し、テレビジョンのチャンネルを切り替える携帯電話機が開示されている。
【先行技術文献】
【特許文献】
【０００４】
【特許文献１】特開２００５−１５０８３１号公報
【発明の概要】
【発明が解決しようとする課題】
【０００５】
ところで、携帯電子機器は携帯性よりディスプレイを小さくしなければならず、多様な機能を十分に発揮するため、所望するコンテンツをより大きなディスプレイに表示することが望まれている。
【０００６】
このような要望のもと本発明は、入力デバイスと出力デバイスとを分離し、携帯電子機器のユーザが所望するコンテンツをより大きなディスプレイを有する任意の出力デバイスに表示することを目的とする。
【課題を解決するための手段】
【０００７】
本発明では、以下のような解決手段を提供する。
【０００８】
（１）  携帯電子機器及びコンテンツを表示する表示部を備えた出力デバイスと通信回線を介して接続され、前記携帯電子機器から受信したコンテンツを指定する入力に対応した出力データを前記出力デバイスに出力するため、前記携帯電子機器又は前記出力デバイスから受信した所定の識別情報に基づいて認証を行う認証手段と、前記認証手段による認証が完了した後に、前記入力に基づいた前記出力データを前記出力デバイスに送信する出力データ送信手段と、を備えることを特徴とするコンテンツサーバ。
【０００９】
（１）のコンテンツサーバによれば、、携帯電子機器又は出力デバイスから受信した所定の識別情報に基づく認証が完了した後に、携帯電子機器から受信した入力に対する出力データを出力デバイスに送信する。そのため、入力デバイスと出力デバイスとを分離し、携帯電子機器のユーザが所望するコンテンツを、携帯電子機器とは独立した任意の出力デバイスに表示することができる。
【００１０】
（２）  前記認証手段は、前記携帯電子機器からの入力に応じて、前記出力デバイスに表示するコンテンツの出力データを選択する出力データ選択手段と、選択した前記出力データを識別する認証コードを発行し記憶する認証コード発行手段と、前記認証コードを入力のあった前記携帯電子機器に送信する認証コード送信手段と、出力デバイスから認証コードを受信する認証コード受信手段と、受信した前記認証コードに対応する出力データを取得する出力データ取得手段と、から構成され、前記出力データ送信手段は、認証コードの送信元である前記出力デバイスに前記出力データ取得手段が取得した出力データを送信することを特徴とする（１）に記載のコンテンツサーバ。
【００１１】
（２）のコンテンツサーバによれば、認証コードを出力デバイスから受信すると、認証コードによって特定される出力データを出力デバイスに送信する。ここで、送信される出力データは、携帯電子機器からの入力に応じた出力データである。そのため、入力デバイスと出力デバイスとを分離し、携帯電子機器のユーザが所望するコンテンツを、携帯電子機器とは独立した任意の出力デバイスに表示することができる。
【００１２】
（３）  前記認証手段は、前記出力デバイスを識別するデバイスＩＤを発行し記憶するデバイスＩＤ発行手段と、前記デバイスＩＤを対応する出力デバイスに送信するデバイスＩＤ送信手段と、前記携帯電子機器から前記入力と併せて前記デバイスＩＤを受信する入力データ受信手段と、受信した前記入力に応じたコンテンツの出力データを選択する出力データ選択手段と、受信した前記デバイスＩＤに対応する出力デバイスを特定する出力デバイス特定手段と、から構成され、前記出力データ送信手段は、前記出力デバイス特定手段により特定された出力デバイスに、前記出力データ選択手段が選択した出力データを送信することを特徴とする（１）に記載のコンテンツサーバ。
【００１３】
（３）のコンテンツサーバによれば、携帯電子機器からの入力に出力デバイスを識別するデバイスＩＤが含まれるため、携帯電子機器からの入力に応じた出力データを出力デバイスに送信することができる。そのため、入力デバイスと出力デバイスとを分離し、携帯電子機器のユーザが所望するコンテンツを、携帯電子機器とは独立した任意の出力デバイスに表示することができる。
【００１４】
（４）  携帯電子機器、コンテンツを表示する表示部を備えた出力デバイス、及びコンテンツを記憶するコンテンツサーバが通信回線を介して接続されて構成される入出力デバイス分離方法であって、前記携帯電子機器から受信したコンテンツを指定するの入力に対応した出力データを前記出力デバイスに出力するため、前記携帯電子機器又は前記出力デバイスから受信した所定の識別情報に基づいて前記コンテンツサーバが認証を行う認証ステップと、前記認証ステップによる認証が完了した後に、前記入力に基づいた前記出力データを前記コンテンツサーバから前記出力デバイスに送信する出力データ送信ステップと、受信した前記出力データに応じたコンテンツを前記出力デバイスの前記表示部に表示する出力ステップとを含むことを特徴とするを特徴とする入出力デバイス分離方法。
【００１５】
（４）の入出力デバイス分離方法によれば、携帯電子機器又は出力デバイスから受信した所定の識別情報に基づく認証が完了した後に、携帯電子機器から受信した入力に対する出力データを出力デバイスに送信する。そのため、入力デバイスと出力デバイスとを分離し、携帯電子機器のユーザが所望するコンテンツを、携帯電子機器とは独立した任意の出力デバイスに表示することができる。
【００１６】
（５）  前記認証ステップは、前記コンテンツサーバが、前記携帯電子機器からの入力に応じて、前記出力デバイスに表示するコンテンツの出力データを選択する出力データ選択ステップと、前記コンテンツサーバが、選択した前記出力データを識別する認証コードを発行し記憶する認証コード発行ステップと、前記コンテンツサーバが、前記認証コードを入力のあった前記携帯電子機器に送信する認証コード送信ステップと、前記出力デバイスが、前記認証コードを受信した前記携帯電子機器から、前記認証コードを取得する認証コード取得ステップと、前記出力デバイスが、取得した前記認証コードを前記コンテンツサーバに送信する認証コード送信ステップと、前記コンテンツサーバが、前記出力デバイスから受信した前記認証コードに対応する出力データを取得する出力データ取得ステップと、を含み、前記出力データ送信ステップは、前記認証コードの送信元である前記出力デバイスに前記出力データ取得ステップにより取得された出力データを送信することを特徴とする（４）に記載の入出力デバイス分離方法。
【００１７】
（５）の入出力デバイス分離方法によれば、コンテンツサーバは、認証コードを出力デバイスから受信すると、認証コードによって特定される出力データを出力デバイスに送信する。ここで、送信される出力データは、携帯電子機器からの入力に応じた出力データである。そのため、入力デバイスと出力デバイスとを分離し、携帯電子機器のユーザが所望するコンテンツを、携帯電子機器とは独立した任意の出力デバイスに表示することができる。
【００１８】
（６）  前記認証コード取得ステップは、前記通信回線を介さず、前記携帯電子機器と直接通信を行うことにより前記認証コードを取得することを特徴とする（５）に記載の入出力デバイス分離方法。
【００１９】
（７）  前記認証コード取得ステップは、前記携帯電子機器のユーザからの入力により前記認証コードを取得することを特徴とする（５）に記載の入出力デバイス分離方法。
【００２０】
（６）及び（７）の入出力デバイス分離方法によれば、ユーザが所望する任意の出力デバイスに、直接認証コードを提供できる。
【００２１】
（８）  前記認証ステップは、前記コンテンツサーバが、前記出力デバイスを識別するデバイスＩＤを発行し記憶するデバイスＩＤ発行ステップと、前記コンテンツサーバが、前記デバイスＩＤを対応する出力デバイスに送信するデバイスＩＤ送信ステップと、前記出力デバイスが、受信した前記デバイスＩＤを前記携帯電子機器に提供するデバイスＩＤ提供ステップと、前記コンテンツサーバが、前記携帯電子機器から前記入力と併せて前記デバイスＩＤを受信する入力データ受信ステップと、前記コンテンツサーバが、受信した前記入力に応じたコンテンツの出力データを選択する出力データ選択ステップと、受信した前記デバイスＩＤに対応する出力デバイスを特定する出力デバイス特定ステップと、を含み、前記出力データ送信ステップは、前記出力デバイス特定ステップにより特定された出力デバイスに、前記出力データ選択ステップが選択した出力データを送信することを特徴とする（４）に記載の入出力デバイス分離方法。
【００２２】
（８）の入出力デバイス分離方法によれば、携帯電子機器からの入力に出力デバイスを識別するデバイスＩＤが含まれるため、コンテンツサーバは、携帯電子機器からの入力に応じた出力データを出力デバイスに送信することができる。そのため、入力デバイスと出力デバイスとを分離し、携帯電子機器のユーザが所望するコンテンツを、携帯電子機器とは独立した任意の出力デバイスに表示することができる。
【００２３】
（９）  前記デバイスＩＤ提供ステップは、前記通信回線を介さず、前記携帯電子機器と直接通信を行うことにより、前記デバイスＩＤを前記携帯電子機器に提供することを特徴とする（８）に記載の入出力デバイス分離方法。
【００２４】
（１０）  前記デバイスＩＤ提供ステップは、光学的に読み取り可能な識別情報を前記表示部に表示することにより、前記デバイスＩＤを前記携帯電子機器に提供することを特徴とする（８）に記載の入出力デバイス分離方法。
【００２５】
（９）及び（１０）の入出力デバイス分離方法によれば、ユーザが所望する任意の出力デバイスに、直接認証コードを提供できる。
【発明の効果】
【００２６】
本発明によれば、入力デバイスと出力デバイスとを分離し、携帯電子機器のユーザが所望するコンテンツをより大きなディスプレイを有する任意の出力デバイスに表示することができる。
【図面の簡単な説明】
【００２７】
【図１】本実施形態に係る入出力デバイス分離システムの概略を示す図である。
【図２】本実施形態に係る入出力デバイス分離システムの概略を示す図である。
【図３】本実施形態に係る入出力デバイス分離システムの全体構成を示すブロック図である。
【図４】本実施形態に係る記憶手段に記憶される内容を示す図である。
【図５】本実施形態に係る入出力デバイス分離システムの処理を示すフローチャートである。
【図６】本実施形態に係る入出力デバイス分離システムのハードウェア構成を示す図である。
【図７】本実施形態に係る入出力デバイス分離システムの応用例を示す図である。
【図８】別実施形態に係る入出力デバイス分離システムの概略を示す図である。
【図９】別実施形態に係る入出力デバイス分離システムの全体構成を示すブロック図である。
【図１０】別実施形態に係る記憶手段に記憶される内容を示す図である。
【図１１】別実施形態に係る入出力デバイス分離システムの処理を示すフローチャートである。
【図１２】別実施形態に係る入出力デバイス分離システムの応用例を示す図である。
【発明を実施するための形態】
【００２８】
以下、本発明を実施するための形態について図を参照しながら説明する。なお、以下では携帯電子機器として携帯電話を例にとって説明するが、携帯電子機器は携帯電話に限らず、ＰＨＳ（Ｐｅｒｓｏｎａｌ  Ｈａｎｄｙ  ｐｈｏｎｅ  Ｓｙｓｔｅｍ；登録商標）、ＰＤＡ（Ｐｅｒｓｏｎａｌ  Ｄｉｇｉｔａｌ  Ａｓｓｉｓｔａｎｔ）、等の携帯型パーソナルコンピュータ等であってもよい。
【００２９】
［第１実施形態］
本発明は、入力デバイスと出力デバイスとを分離する入出力デバイス分離方法、及びこの方法に用いられるコンテンツサーバに関するものであるが、入出力デバイス分離方法を実現するのに好適な入出力デバイス分離システム１の概略について、図１、２を参照して説明する。
【００３０】
［入出力デバイス分離システム１の概略］
入出力デバイス分離システム１は、コンテンツを記憶するコンテンツサーバ１０と、携帯電話２０と、コンテンツを表示する表示部を備えた出力デバイス３０と、がネットワーク（ＩＰネットワークを含む）を介して通信可能に接続されて構成される。
【００３１】
ここで、出力デバイス３０は、街中に設置されたデジタルサイネージ３０ａや、ユーザが所有するテレビ装置３０ｂ、カーナビといった、表示部を備え携帯電話２０から独立した装置をいう。なお、出力デバイス３０の表示部は、携帯電話２０の表示部に比べて大きいことが好ましい。
【００３２】
入力出力デバイス分離システム１の動作の概略は以下の通りである。
（１）携帯電話２０からコンテンツサーバ１０に、特定のコンテンツを指定する入力データが送信される。
（２）入力データを受信すると、コンテンツサーバ１０は、指定されたコンテンツの出力データを識別する認証コードを発行し、この認証コードを携帯電話２０に返信する。
【００３３】
（３）携帯電話２０では、取得した認証コードを出力デバイス３０に提供する。本実施の形態では、携帯電話２０から出力デバイス３０への認証コードの提供は、近距離無線通信により行われる。近距離無線通信は、ネットワークを介さず携帯電話２０と出力デバイス３０とが直接通信するものであれば足り、例えば、赤外線通信や、Ｂｌｕｅｔｏｏｔｈ（登録商標）等が該当する。
なお、携帯電話２０から出力デバイス３０への認証コードの提供は、近距離無線通信に限らず、ネットワークを介して通信してもよいし、ユーザが出力デバイス３０に直接認証コードを入力することにより行ってもよい。
【００３４】
（４）出力デバイス３０は、取得した認証コードをコンテンツサーバ１０に送信する。
（５）コンテンツサーバ１０では、受信した認証コードに対応する出力データを取得し、この出力データを出力デバイス３０に送信する。
（６）出力デバイス３０は、出力データを受信すると出力データに応じたコンテンツを表示部に表示する。
【００３５】
このように、入出力デバイス分離システム１によれば、テレビ装置やカーナビといった出力デバイスのうち任意の出力デバイス３０に、ユーザが所望する任意のコンテンツを表示することができる。
【００３６】
［入出力デバイス分離システム１の構成］
次に、入出力デバイス分離システム１の具体的構成について、図３，４を参照して説明する。
【００３７】
入出力デバイス分離システム１は、コンテンツを記憶するコンテンツサーバ１０と、携帯電話２０と、コンテンツを表示する表示部を備えた出力デバイス３０と、がネットワーク４０を介して通信可能に接続されて構成される。
【００３８】
（コンテンツサーバ１０の構成）
コンテンツサーバ１０は、制御手段１１０、記憶手段１２０、及び通信手段１３０により構成され、通信手段１３０を介してネットワーク４０との通信が可能となっている。
【００３９】
各部の制御を司る制御手段１１０は、入力データ受信手段１１１、出力データ選択手段１１２、認証コード発行手段１１３、認証コード送信手段１１４、認証コード受信手段１１５、出力データ取得手段１１６、及び出力データ送信手段１１７により構成される。
【００４０】
入力データ受信手段１１１は、携帯電話２０が送信するコンテンツを指定する入力データを、通信手段１３０を介して受信する。
出力データ選択手段１１２は、受信した入力データに応じたコンテンツの出力データを記憶手段１２０から選択する。
【００４１】
認証コード発行手段１１３は、出力データを識別する認証コードを発行し、記憶手段１２０に記憶する。その結果、記憶手段１２０には、図４に示すように、認証コードに対応付けて出力データが記憶される。
認証コード送信手段１１４は、通信手段１３０を介して、発行した認証コードを入力データを送信してきた携帯電話２０に送信する。
【００４２】
認証コード受信手段１１５は、出力デバイスが送信する認証コードを、通信手段１３０を介して受信する。
出力データ取得手段１１６は、認証コードに対応する出力データを記憶手段１２０から取得する。
出力データ送信手段１１７は、通信手段１３０を介して、取得した出力データを認証コードを送信してきた出力デバイス３０に送信する。
【００４３】
記憶手段１２０は、複数のコンテンツの出力データを記憶するとともに、認証コードと出力データとを対応付けて記憶する。
通信手段１３０は、ネットワーク４０を介してデータ提供先から提供されるデータ（入力データや認証コード）を受信し、ネットワーク４０を介して各種データ（認証コードや出力データ）を送信する。
【００４４】
（携帯電話２０の構成）
携帯電話２０は、制御手段２１０、入力手段２２０、通信手段２３０、及び近距離通信手段２３５により構成され、通信手段２３０を介して基地局５０との通信が可能となっている。
【００４５】
各部の制御を司る制御手段２１０は、入力データ送信手段２１１、認証コード受信手段２１２、及び認証コード提供手段２１３により構成される。
【００４６】
入力データ送信手段２１１は、入力手段２２０からのユーザの入力データを、通信手段２３０を介して、コンテンツサーバ１０に送信する。
認証コード受信手段２１２は、コンテンツサーバ１０が送信する認証コードを、通信手段２３０を介して受信する。
認証コード提供手段２１３は、受信した認証コードを、近距離通信手段２３５を介して出力デバイス３０に提供する。
【００４７】
入力手段２２０は、ユーザからの入力を受け付ける入力部であり、プッシュボタンやタッチパネルにより構成される。
通信手段２３０は、基地局５０及びネットワーク４０を介してデータ提供先から提供されるデータ（認証コード）を受信し、ネットワーク４０を介して各種データ（入力データ）を送信する。
近距離通信手段２３５は、出力デバイス３０とネットワーク４０を介さずに直接通信可能な通信部である。
【００４８】
（出力デバイス３０の構成）
出力デバイス３０は、制御手段３１０、近距離通信手段３２０、通信手段３２５、及び出力手段３３０により構成され、通信手段２３０を介してネットワーク４０との通信が可能となっている。
【００４９】
各部の制御を司る制御手段３１０は、認証コード取得手段３１１、認証コード送信手段３１２、及び出力データ受信手段３１３により構成される。
【００５０】
認証コード取得手段３１１は、近距離通信手段３２０を介して、携帯電話２０から認証コードを取得する。ここで、認証コード取得手段３１１は、近距離通信手段３２０による携帯電話２０との直接通信に限らず、ネットワーク４０を介して認証コードを取得してもよいし、ユーザからの認証コードの入力により認証コードを取得してもよい。
認証コード送信手段３１２は、取得した認証コードをコンテンツサーバ１０に、通信手段３２５を介して送信する。
出力データ受信手段３１３は、コンテンツサーバ１０から送信される出力データを、通信手段３２５を介して受信する。
【００５１】
近距離通信手段３２０は、携帯電話２０とネットワーク４０を介さずに直接通信可能な通信部である。
通信手段３２５は、ネットワーク４０を介してデータ提供先から提供されるデータ（出力データ）を受信し、ネットワーク４０を介して各種データ（認証コード）を送信する。
出力手段３３０は、受信した出力データに応じたコンテンツを表示する表示部である。
【００５２】
［入出力デバイス分離システム１の処理フロー］
次に、図５を参照して入出力デバイス分離システム１の処理の流れについて説明する。
【００５３】
Ｓ１：携帯電話２０の入力データ送信手段２１１は、コンテンツを選択する入力データをコンテンツサーバ１０に送信する。
【００５４】
Ｓ２：コンテンツサーバ１０の入力データ受信手段１１１が入力データを受信すると、出力データ選択手段１１２は、受信した入力データに対応するコンテンツの出力データを選択する。
Ｓ３：コンテンツサーバ１０の認証コード発行手段１１３は、選択した出力データを識別する認証コードを発行し、記憶手段１２０に出力データと認証コードとを対応付けて記憶する。
Ｓ４：コンテンツサーバ１０の認証コード送信手段１１４は、発行した認証コードを入力データを送信してきた携帯電話２０に送信する。
【００５５】
Ｓ５：携帯電話２０の認証コード受信手段２１２が認証コードを受信すると、認証コード提供手段２１３は、ユーザが所望する任意の出力デバイス３０に受信した認証コードを提供する。
【００５６】
Ｓ６：出力デバイス３０の認証コード取得手段３１１は、携帯電話２０から提供される認証コードを取得する。
Ｓ７：出力デバイス３０の認証コード送信手段３１２は、取得した認証コードをコンテンツサーバ１０に送信する。
【００５７】
Ｓ８：コンテンツサーバ１０の認証コード受信手段１１５が認証コードを受信すると、出力データ取得手段１１６は、記憶手段１２０を参照して認証コードに対応する出力データを取得する。
Ｓ９：コンテンツサーバ１０の出力データ送信手段１１７は、取得した出力データを出力デバイス３０に送信する。
【００５８】
Ｓ１０：出力デバイス３０の出力データ受信手段３１３が出力データを受信すると、出力手段３３０は、出力データに応じたコンテンツを表示する。
【００５９】
［入出力デバイス分離システム１のハードウェア構成］
次に、図６を参照して、入出力デバイス分離システム１のハードウェア構成について説明する。本発明が実施される装置は標準的なものでよく、以下に構成の一例を示す。図６（１）はコンテンツサーバ１０のハードウェア構成であり、図６（２）は携帯電話２０のハードウェア構成であり、図６（３）は出力デバイス３０のハードウェア構成である。
【００６０】
（コンテンツサーバ１０のハードウェア構成）
コンテンツサーバ１０は、制御手段１１０を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボード及びマウス等の入力装置１３８０、ハードディスク１３９０、光ディスクドライブ１４００、並びに半導体メモリ１４２０を備える。なお、ハードディスク１３９０、光ディスクドライブ１４００、並びに半導体メモリ１４２０はまとめて記憶手段１２０を構成する。
【００６１】
制御手段１１０は、コンテンツサーバ１０を統括的に制御する部分であり、ハードディスク１３９０（後述）に記憶された各種プログラムを適宜読み出して実行することにより、上述したハードウェアと協働し、本発明に係る各種機能を実現している。
【００６２】
通信Ｉ／Ｆ１３３０は、コンテンツサーバ１０が、ネットワーク４０を介して携帯電話２０等と情報を送受信する場合のネットワーク・アダプタである。通信Ｉ／Ｆ１３３０は、モデム、ケーブル・モデム及びイーサネット（登録商標）・アダプタを含んでよい。
【００６３】
ＢＩＯＳ１３５０は、コンテンツサーバ１０の起動時にＣＰＵ１３１０が実行するブートプログラムや、コンテンツサーバ１０のハードウェアに依存するプログラム等を記録する。
【００６４】
表示装置１３６０は、ブラウン管表示装置（ＣＲＴ）、液晶表示装置（ＬＣＤ）等のディスプレイ装置を含む。
【００６５】
Ｉ／Ｏコントローラ１３７０には、ハードディスク１３９０、光ディスクドライブ１４００、及び半導体メモリ１４２０等の記憶装置１４３０を接続することができる。
【００６６】
入力装置１３８０は、コンテンツサーバ１０のユーザによる入力の受け付けを行うものである。
【００６７】
ハードディスク１３９０は、本ハードウェアをコンテンツサーバ１０として機能させるための各種プログラムや出力データ等を記憶する。なお、コンテンツサーバ１０は、外部に別途設けたハードディスク（図示せず）を外部記憶装置として利用することもできる。
【００６８】
光ディスクドライブ１４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１４１０を使用する。光ディスク１４１０から光ディスクドライブ１４００によりプログラム又はデータを読み取り、Ｉ／Ｏコントローラ１３７０を介してメインメモリ１３４０又はハードディスク１３９０に提供することもできる。
【００６９】
コンテンツサーバ１０の各手段は、制御手段１１０によってプログラムが実行されることで実現される。但し、記憶手段１２０は、主としてハードディスク１３９０に実装されるが、既に述べたように、他の記憶装置を用いてもよい。
【００７０】
（携帯電話２０のハードウェア構成）
携帯電話２０は、制御手段２１０を構成するＣＰＵ２０１０と、通信手段２３０を構成するメインアンテナ２０３０及び通信処理部２０４０と、近距離通信手段２３５を構成する無線通信部２０２０と、入力手段２２０を構成する操作ボタン群２０５０と、を備える。
【００７１】
ここで、メインアンテナ２０３０は、所定の使用周波数帯で基地局５０と通信を行う。なお、本実施の形態では、いわゆるデュアルバンド対応型による構成であってもよい。また、操作ボタン群２０５０には、プッシュボタンのほかタッチパネルも含まれる。
【００７２】
（出力デバイス３０のハードウェア構成）
出力デバイス３０は、制御手段３１０を構成するＣＰＵ３０１０と、近距離通信手段３２０を構成する無線通信部３０２０と、通信手段３２５を構成する通信Ｉ／Ｆ３０３０と、出力手段３３０を構成する表示装置３０４０と、を備える。
【００７３】
［入出力デバイス分離システム１の応用例］
次に、本実施の形態に係る入出力デバイス分離システム１の応用例について、図７を参照して説明する。図７では、検索システムに入出力デバイス分離システム１を応用した例を示す。
【００７４】
（１）携帯電話２０からコンテンツサーバ１０に、検索キーワードが送信される。
（２）コンテンツサーバ１０では、所定の検索ロジックを用いて検索キーワードに対する検索結果一覧を作成するとともに、認証コードを付してこの検索結果一覧を携帯電話２０に返信する。
（３）携帯電話２０では、検索結果一覧から特定の検索結果（コンテンツ）を選択し、検索結果を認証コードと併せてコンテンツサーバ１０に送信する。このとき、コンテンツサーバ１０では、選択された検索結果のコンテンツの出力データと認証コードとを対応付けて記憶しておく。
【００７５】
（４）一方、携帯電話２０は、取得した認証コードを出力デバイス３０に提供する。
（５）出力デバイス３０は、取得した認証コードをコンテンツサーバ１０に送信する。
（６）コンテンツサーバ１０では、受信した認証コードに対応する出力データを取得し、この出力データを出力デバイス３０に送信する。
（７）出力デバイス３０は、出力データに応じたコンテンツを表示部に表示する。
【００７６】
このように、入出力デバイス分離システム１では、出力デバイス３０に表示するコンテンツの途中のデータ（検索結果一覧）を携帯電話２０に一度返信するようにしてもよい。
【００７７】
［第２実施形態］
次に、第２実施形態に係る入出力デバイス分離システム１Ａについて説明する。第１実施形態に係る入出力デバイス分離システム１が出力データと認証コードとを対応付けて記憶しておき、出力デバイスから認証コードが送信されることで出力データを出力デバイスに送信するものであったが、第２実施形態に係る入出力デバイス分離システム１Ａでは、予め出力デバイスにデバイスＩＤを対応付けておき、携帯電話からデバイスＩＤを指定した入力データが送信されることで、対応する出力デバイスに出力データを送信する。
【００７８】
［入出力デバイス分離システム１Ａの概略］
入出力デバイス分離システム１Ａは、コンテンツを記憶するコンテンツサーバ１０Ａと、携帯電話２０Ａと、コンテンツを表示する表示部を備えた出力デバイス３０Ａと、がネットワークを介して通信可能に接続されて構成される。
【００７９】
（１）  出力デバイス３０Ａは、コンテンツサーバ１０Ａに出力デバイス３０Ａを識別するデバイスＩＤを要求する。
（２）  コンテンツサーバ１０Ａでは、デバイスＩＤを出力デバイス３０Ａの位置特定情報（例えば、ＩＰアドレスや電話番号）に対応付けて発行するとともに、このデバイスＩＤを出力デバイス３０Ａに返信する。
（３）  出力デバイス３０Ａでは、受信したデバイスＩＤを携帯電話２０Ａに提供する。なお、デバイスＩＤの提供は、近距離無線通信により提供しても、ネットワークを介して提供してもよい。また、デバイスＩＤを表示したり、音声によりユーザに伝えることとしてもよい。更には、携帯電話２０Ａが光学的に読み取り可能な識別情報（例えば、ＱＲコード（登録商標））を表示することとしてもよい。
【００８０】
（４）  携帯電話２０Ａは、特定のコンテンツを指定する入力データをデバイスＩＤと併せてコンテンツサーバ１０Ａに送信する。
（５）  コンテンツサーバ１０Ａでは、指定されたコンテンツの出力データを、デバイスＩＤにより特定される出力デバイス３０Ａに送信する。
（６）出力デバイス３０は、出力データを受信すると出力データに応じたコンテンツを表示部に表示する。
【００８１】
このように、入出力デバイス分離システム１Ａによれば、テレビ装置やカーナビといった出力デバイスのうち任意の出力デバイス３０Ａに、ユーザが所望する任意のコンテンツを表示することができる。
【００８２】
［入出力デバイス分離システム１Ａの構成］
次に、入出力デバイス分離システム１Ａの具体的構成について、図９，１０を参照して説明する。なお、入出力デバイス分離システム１Ａのハードウェア構成については、第１実施形態と基本的に同じであるため、説明を省略する。
【００８３】
（コンテンツサーバ１０Ａの構成）
コンテンツサーバ１０Ａは、制御手段１１０Ａ、記憶手段１２０、及び通信手段１３０により構成され、通信手段１３０を介してネットワーク４０との通信が可能となっている。
【００８４】
各部の制御を司る制御手段１１０Ａは、デバイスＩＤ発行手段１１１Ａ、デバイスＩＤ送信手段１１２Ａ、入力データ受信手段１１３Ａ、デバイス特定手段１１４Ａ、出力データ選択手段１１５Ａ、及び出力データ送信手段１１６Ａにより構成される。
【００８５】
デバイスＩＤ発行手段１１１Ａは、出力デバイス３０ＡからのデバイスＩＤ要求を受けると、要求を受けた出力デバイス３０Ａを識別するデバイスＩＤを発行し、記憶手段１２０に記憶する。その結果、記憶手段１２０には、図１０に示すように、デバイスＩＤに対応付けてこのデバイスＩＤの位置特定情報が記憶される。なお、位置特定情報としては、出力デバイス３０ＡのＩＰアドレスや電話番号等が用いられる。
デバイスＩＤ送信手段１１２Ａは、発行したデバイスＩＤを、通信手段１３０を介して、デバイスＩＤ要求してきた出力デバイス３０Ａに送信する。
【００８６】
入力データ受信手段１１３Ａは、携帯電話２０Ａが送信するコンテンツを指定する入力データと、出力デバイス３０Ａを特定するデバイスＩＤと、を通信手段１３０を介して受信する。
デバイス特定手段１１４Ａは、受信したデバイスＩＤに対応する出力デバイス３０Ａを特定する。
出力データ選択手段１１５Ａは、受信した入力データに応じたコンテンツの出力データを記憶手段１２０から選択する。
出力データ送信手段１１７は、取得した出力データをデバイスＩＤにより特定される出力デバイス３０Ａに通信手段１３０を介して送信する。
【００８７】
（携帯電話２０Ａの構成）
携帯電話２０Ａは、制御手段２１０Ａ、入力手段２２０、通信手段２３０、及び近距離通信手段２３５により構成され、通信手段２３０を介して基地局５０との通信が可能となっている。
【００８８】
各部の制御を司る制御手段２１０Ａは、デバイスＩＤ取得手段２１１Ａ、及び入力データ送信手段２１２Ａにより構成される。
【００８９】
デバイスＩＤ取得手段２１１Ａは、出力デバイス３０ＡからデバイスＩＤを近距離通信手段２３５を介して取得する。なお、デバイスＩＤ取得手段２１１Ａを、ＱＲコード等の二次元コードパターンの画像を撮像する撮像手段と、撮像された二次元コードパターンを復号化し、デバイスＩＤ取得する複合化手段と、により構成することとしてもよい。
入力データ送信手段２１１は、入力手段２２０からのユーザの入力データ及びデバイスＩＤを、通信手段２３０を介して、コンテンツサーバ１０に送信する。
【００９０】
（出力デバイス３０Ａの構成）
出力デバイス３０Ａは、制御手段３１０Ａ、近距離通信手段３２０、通信手段３２５、及び出力手段３３０により構成され、通信手段２３０を介してネットワーク４０との通信が可能となっている。
【００９１】
各部の制御を司る制御手段３１０Ａは、デバイスＩＤ要求手段３１１Ａ、デバイスＩＤ受信手段３１２Ａ、デバイスＩＤ提供手段３１３Ａ、及び出力データ受信手段３１４Ａにより構成される。
【００９２】
デバイスＩＤ要求手段３１１Ａは、ユーザの操作に応じて又は所定のタイミングで、コンテンツサーバ１０Ａに自己を識別するデバイスＩＤを要求する。
デバイスＩＤ受信手段３１２Ａは、通信手段３２５を介して、コンテンツサーバ１０ＡからデバイスＩＤを受信する。
デバイスＩＤ提供手段３１３Ａは、近距離通信手段３２０を介して、デバイスＩＤを携帯電話２０Ａに提供する。なお、デバイスＩＤ提供手段３１３Ａは、受信したデバイスＩＤを音声により出力してもよく、また、表示部に表示してもよい。更には、デバイスＩＤの二次元コードパターン画像を表示部に表示してもよい。なお、デバイスＩＤを二次元コード化するのは、出力デバイス３０Ａにより行ってもよく、また、コンテンツサーバ１０Ａが二次元コード化しその画像データを出力デバイス３０Ａに送信してもよい。
出力データ受信手段３１４Ａは、コンテンツサーバ１０から送信される出力データを、通信手段３２５を介して受信する。
【００９３】
［入出力デバイス分離システム１Ａの処理フロー］
次に、図１１を参照して入出力デバイス分離システム１Ａの処理の流れについて説明する。
【００９４】
Ｓ３１：出力デバイス３０ＡのデバイスＩＤ要求手段３１１Ａは、自己を識別するデバイスＩＤを要求する。
【００９５】
Ｓ３２：コンテンツサーバ１０ＡのデバイスＩＤ発行手段１１１Ａは、デバイスＩＤを発行するとともに、出力デバイス３０Ａの位置特定情報と対応付けて記憶手段１２０に記憶する。
Ｓ３３：コンテンツサーバ１０ＡのデバイスＩＤ送信手段１１２Ａは、デバイスＩＤを出力デバイス３０Ａに返信する。
【００９６】
Ｓ３４、Ｓ３５：出力デバイス３０ＡのデバイスＩＤ受信手段３１２ＡがデバイスＩＤを受信すると、デバイスＩＤ提供手段３１３Ａは、携帯電話２０ＡにデバイスＩＤを提供する。
【００９７】
Ｓ３６：携帯電話２０ＡのデバイスＩＤ取得手段２１１Ａは、出力デバイス３０Ａから提供されるデバイスＩＤを取得する。
Ｓ３７：携帯電話２０Ａの入力データ送信手段２１２Ａは、コンテンツを選択する入力データと、取得したデバイスＩＤと、をコンテンツサーバ１０Ａに送信する。
【００９８】
Ｓ３８：コンテンツサーバ１０Ａの入力データ受信手段１１３Ａが入力データとデバイスＩＤとを受信すると、デバイス特定手段１１４Ａは、受信したデバイスＩＤに対応する出力デバイス３０Ａを特定する。
Ｓ３９：コンテンツサーバ１０Ａの出力データ選択手段１１５Ａは、受信した入力データに対応するコンテンツの出力データを選択する。
Ｓ４０：コンテンツサーバ１０Ａの出力データ送信手段１１６Ａは、選択した出力データを、特定した出力デバイス３０Ａに送信する。
【００９９】
Ｓ４１：出力デバイス３０Ａの出力データ受信手段３１４Ａが出力データを受信すると、出力手段３３０は、出力データに応じたコンテンツを表示する。
【０１００】
［入出力デバイス分離システム１Ａの応用例］
次に、本実施の形態に係る入出力デバイス分離システム１Ａの応用例について、図１２を参照して説明する。図１２では、検索システムに入出力デバイス分離システム１Ａを応用した例を示す。
【０１０１】
（１）〜（３）  出力デバイス３０Ａが要求し、コンテンツサーバ１０Ａから取得したデバイスＩＤを、出力デバイス３０Ａから携帯電話２０Ａに提供する。
（４）携帯電話２０Ａからコンテンツサーバ１０Ａに、検索キーワード及びデバイスＩＤが送信される。
（５）コンテンツサーバ１０Ａでは、所定の検索ロジックを用いて検索キーワードに対する検索結果一覧を作成するとともに、デバイスＩＤを付してこの検索結果一覧を携帯電話２０Ａに返信する。
（６）携帯電話２０Ａでは、検索結果一覧から特定の検索結果（コンテンツ）を選択し、検索結果をデバイスＩＤと併せてコンテンツサーバ１０Ａに送信する。
（７）  コンテンツサーバ１０Ａは、選択された検索結果のコンテンツの出力データを、デバイスＩＤにより特定される出力デバイス３０Ａに送信する。
（８）出力デバイス３０Ａは、出力データを受信すると出力データに応じたコンテンツを表示部に表示する。
【０１０２】
このように、入出力デバイス分離システム１Ａでは、出力デバイス３０Ａに表示するコンテンツの途中のデータ（検索結果一覧）を携帯電話２０Ａに一度返信するようにしてもよい。
【０１０３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【０１０４】
１      入出力デバイス分離システム
１０    コンテンツサーバ
２０    携帯電話
３０    出力デバイス
４０    ネットワーク
５０    基地局
１１０  制御手段
１２０  記憶手段
１３０  通信手段
２１０  制御手段
２２０  入力手段
２３０  通信手段
２３５  近距離通信手段
３１０  制御手段
３２０  近距離通信手段
３２５  通信手段
３３０  出力手段
【図１】
2010239518.tif 000003
【図２】
2010239518.tif 000004
【図３】
2010239518.tif 000005
【図４】
2010239518.tif 000006
【図５】
2010239518.tif 000007
【図６】
2010239518.tif 000008
【図７】
2010239518.tif 000009
【図８】
2010239518.tif 000010
【図９】
2010239518.tif 000011
【図１０】
2010239518.tif 000012
【図１１】
2010239518.tif 000013
【図１２】
2010239518.tif 000014